(57)【要約】【課題】  ５極構成のプラグを容易に形成する。【解決手段】  電極部１１ａと嵌合部１１ｂとを有し軸状に形成された第１の導体１１と、該第１の導体の嵌合部に外嵌された第１の絶縁体１２と、電極部１３ａと嵌合部１３ｂとを有し第１の絶縁体に外嵌された第２の導体１３と、該第２の導体の嵌合部に外嵌された第２の絶縁体１４と、電極部１５ａと嵌合部１５ｂとを有し第２の絶縁体に外嵌された第３の導体１５と、該第３の導体の嵌合部に外嵌された第３の絶縁体１６と、該第３の絶縁体に外嵌され電極部１７ａを有する第４の導体１７と、該第４の導体の外面の一部に取り付けられた第４の絶縁体１８と、該第４の絶縁体の外面に取り付けられ電極部１９ｄを有する第５の導体１９とによって構成した。【選択図】図５
2008066175.tif 000002
【特許請求の範囲】
【請求項１】
電極部と嵌合部とを有し軸状に形成された第１の導体と、
該第１の導体の嵌合部に外嵌された第１の絶縁体と、
電極部と嵌合部とを有し第１の絶縁体に外嵌された第２の導体と、
該第２の導体の嵌合部に外嵌された第２の絶縁体と、
電極部と嵌合部とを有し第２の絶縁体に外嵌された第３の導体と、
該第３の導体の嵌合部に外嵌された第３の絶縁体と、
該第３の絶縁体に外嵌され電極部を有する第４の導体と、
該第４の導体の外面の一部に取り付けられた第４の絶縁体と、
該第４の絶縁体の外面に取り付けられ電極部を有する第５の導体とを備えた
ことを特徴とするプラグ。
【請求項２】
上記第５の導体を板状に形成し、厚み方向における一方の面を第４の絶縁体に取り付けた
ことを特徴とする請求項１に記載のプラグ。
【請求項３】
上記第５の導体に第４の絶縁体の外面の反対方向へ突出された接続用突部を設けた
ことを特徴とする請求項１に記載のプラグ。
【請求項４】
上記第４の絶縁体と第５の導体以外の部分によって略丸軸状に形成し、
第４の絶縁体と第５の導体を略丸軸状の部分の外面に配置した
ことを特徴とする請求項１に記載のプラグ。
【発明の詳細な説明】
【技術分野】
【０００１】
本発明はプラグについての技術分野に関する。詳しくは、複数の絶縁体と複数の導体の結合位置を工夫して５極構成のプラグを容易に形成する技術分野に関する。
【背景技術】
【０００２】
各種の電子機器、例えば、音響機器等のジャックに接続されるプラグは、例えば、イヤホーン、ヘッドホーン、各種の接続コード等の先端部に設けられている。
【０００３】
このようなプラグ、例えば、イヤホーンやヘッドホーン等に設けられたプラグは、一般に、スピーカーＬ（左）用、スピーカーＲ（右）用及びグランド用の３極構成とされている（例えば、特許文献１参照）。
【０００４】
【特許文献１】特開平９−２０４９６６号公報
【発明の開示】
【発明が解決しようとする課題】
【０００５】
ところが、音響機器等に接続されるイヤホーンやヘッドホーン等の音声入力装置においては、１つのプラグが２つの音声入力装置に接続され、１つのプラグから２つの音声入力装置に各別に音声信号が送信される場合が考えられ、この場合には第１の音声入力装置と第２の音声入力装置にそれぞれ２つずつのスピーカー用の極が必要となり、３極構成のプラグでは極数が不足することになる。
【０００６】
また、音声信号を左右のスピーカーに出力すると共にマイクに入力された音声信号を音響機器に入力するような所謂ヘッドセット等の場合においても３極構成のプラグでは極数が不足することになる。
【０００７】
一方、極数を３極より増やす構成のプラグを形成するに際しては、製造の容易化を図る必要もある。
【０００８】
そこで、本発明プラグは、上記した問題点を克服し、５極構成のプラグを容易に形成することを課題とする。
【課題を解決するための手段】
【０００９】
本発明プラグは、上記した課題を解決するために、電極部と嵌合部とを有し軸状に形成された第１の導体と、該第１の導体の嵌合部に外嵌された第１の絶縁体と、電極部と嵌合部とを有し第１の絶縁体に外嵌された第２の導体と、該第２の導体の嵌合部に外嵌された第２の絶縁体と、電極部と嵌合部とを有し第２の絶縁体に外嵌された第３の導体と、該第３の導体の嵌合部に外嵌された第３の絶縁体と、該第３の絶縁体に外嵌され電極部を有する第４の導体と、該第４の導体の外面の一部に取り付けられた第４の絶縁体と、該第４の絶縁体の外面に取り付けられ電極部を有する第５の導体とを設けたものである。
【００１０】
従って、本発明プラグにあっては、第２の導体、第３の導体及び第４の導体が第１の導体を中心として外嵌され、第５の導体がこれらの外側に設けられた結合状態とされる。
【発明の効果】
【００１１】
本発明プラグは、電極部と嵌合部とを有し軸状に形成された第１の導体と、該第１の導体の嵌合部に外嵌された第１の絶縁体と、電極部と嵌合部とを有し第１の絶縁体に外嵌された第２の導体と、該第２の導体の嵌合部に外嵌された第２の絶縁体と、電極部と嵌合部とを有し第２の絶縁体に外嵌された第３の導体と、該第３の導体の嵌合部に外嵌された第３の絶縁体と、該第３の絶縁体に外嵌され電極部を有する第４の導体と、該第４の導体の外面の一部に取り付けられた第４の絶縁体と、該第４の絶縁体の外面に取り付けられ電極部を有する第５の導体とを備えたことを特徴とする。
【００１２】
従って、４極構成の部分の外面に第５の導体である１極の部分を取り付けることにより５極構成を形成しているため、５極構成のプラグを容易に形成することができる。
【００１３】
請求項２に記載した発明にあっては、上記第５の導体を板状に形成し、厚み方向における一方の面を第４の絶縁体に取り付けたので、プラグの全体の外径を小さくすることが可能となり、プラグの小型化を図ることができる。
【００１４】
請求項３に記載した発明にあっては、上記第５の導体に第４の絶縁体の外面の反対方向へ突出された接続用突部を設けたので、ジャックの接続端子と第５の導体との良好な接続性を確保することができる。
【００１５】
請求項４に記載した発明にあっては、上記第４の絶縁体と第５の導体以外の部分によって略丸軸状に形成し、第４の絶縁体と第５の導体を略丸軸状の部分の外面に配置したので、第４の絶縁体と第５の導体が略丸軸状の部分から側方へ突出された形状とされ、例えば、プラグ挿入孔が円形状に形成されている３極構成のプラグ専用のジャックに対する誤挿入を防止することができる。
【発明を実施するための最良の形態】
【００１６】
以下に、本発明を実施するための最良の形態を添付図面に従って説明する。
【００１７】
以下に示すプラグは、例えば、イヤホーンやヘッドホーン等の図示しない音声入出力装置の一対の耳介装着部にそれぞれスピーカーが内蔵されると共に一方の耳介装着部からアームが突出され該アームの先端部にマイクが内蔵されている所謂ヘッドセットと称される音声入出力装置に適用される。
【００１８】
また、以下に示すプラグは、それぞれ一対のスピーカーを有する２つの音声入力装置に接続され、２つの音声入力装置に各別に音声信号が送信されるようなものに適用されるものであってもよく、以下に示すプラグは、５極が必要な各種の電子機器に対して任意に適応することが可能である。
【００１９】
プラグ５は、例えば、イヤホーンやヘッドホーン等の図示しない音声入出力装置の接続コード４における先端部に設けられ、図１乃至図３に示すように、第１の導体１１、第１の絶縁体１２、第２の導体１３、第２の絶縁体１４、第３の導体１５、第３の絶縁体１６、第４の導体１７、第４の絶縁体１８及び第５の導体１９によって構成されている。第１の導体１１、第２の導体１３、第３の導体１５、第４の導体１７及び第５の導体１９は、何れも導電性の高い金属材料によって形成され、第１の絶縁体１２、第２の絶縁体１４、第３の絶縁体１６及び第４の絶縁体１８は何れも樹脂材料等の導電性を有しない材料によって形成されている。
【００２０】
第１の導体１１、第２の導体１３、第３の導体１５、第４の導体１７及び第５の導体１９は、例えば、それぞれ図示しない第１のスピーカー用の端子、第２のスピーカー用の端子、第１のマイク用の端子、グランド用の端子及び第２のマイク用の端子として用いられている。
【００２１】
尚、上記には、第１の導体１１、第２の導体１３、第３の導体１５、第４の導体１７及び第５の導体１９をそれぞれ第１のスピーカー用の端子、第２のスピーカー用の端子、第１のマイク用の端子、グランド用の端子及び第２のマイク用の端子として用いる例を示したが、第１の導体１１、第２の導体１３、第３の導体１５、第４の導体１７及び第５の導体１９をそれぞれ何れの端子として用いるかは任意である。
【００２２】
第１の導体１１は略丸軸状に形成され、大径の電極部１１ａと小径の嵌合部１１ｂとを有している。第１の導体１１には、電極部１１ａと嵌合部１１ｂの間に外方へ張り出されたフランジ部１１ｃが設けられ、嵌合部１１ｂのフランジ部１１ｃと反対側の端部にコード接続部１１ｄが設けられている。
【００２３】
電極部１１ａの外周面は嵌合部１１ｂに近付くに従って中心側へ変位するように傾斜された傾斜面１１ｅとして形成されている。嵌合部１１ｂは軸方向における長さが電極部１１ａより長くされている。コード接続部１１ｄは、その径が電極部１１ａの径より小さく嵌合部１１ｂの径より大きくされている。
【００２４】
第１の絶縁体１２は略円筒状に形成され、軸方向における一端部が他の部分より外径の大きな大径部１２ａとして設けられ、該大径部１２ａ以外の部分が小径部１２ｂとして設けられている。大径部１２ａは小径部１２ｂより肉厚に形成されている。小径部１２ｂの大径部１２ａと反対側の端部は外方へ僅かに張り出された張出部１２ｃとされ、大径部１２ａと張出部１２ｃの間における外面側に浅い嵌合凹部１２ｄが形成されている。
【００２５】
第１の絶縁体１２は第１の導体１１の嵌合部１１ｂに外嵌されている。第１の絶縁体１２は第１の導体１１に外嵌された状態において、大径部１２ａの外周面がフランジ部１１ｃの外周面と放射方向において一致されている。第１の導体１１は電極部１１ａ、フランジ部１１ｃ及びコード接続部１１ｄが露出されている。
【００２６】
第２の導体１３は略円筒状に形成され、大径の電極部１３ａと小径の嵌合部１３ｂとを有している。第１の導体１３には、電極部１３ａと嵌合部１３ｂとを連結する略円環状に形成された連結部１３ｃが設けられ、嵌合部１３ｂの連結部１３ｃと反対側の端部はコード接続部１３ｄとして設けられている。
【００２７】
第２の導体１３は第１の絶縁体１２に外嵌されている。第２の導体１３は第１の絶縁体１２に外嵌された状態において、電極部１３ａが大径部１２ａの一端部を除く部分に結合され、嵌合部１３ｂ及び連結部１３ｃが嵌合凹部１２ｄに結合され、嵌合部１３ｂの外周面が張出部１２ｃの外周面と放射方向において一致されている。従って、第２の絶縁体１２は大径部１２ａの一部と張出部１２ｃとが露出されている。
【００２８】
第２の絶縁体１４は略円筒状に形成され、軸方向における一端部が他の部分より外径の大きな大径部１４ａとして設けられ、該大径部１４ａ以外の部分が小径部１４ｂとして設けられている。大径部１４ａは小径部１４ｂより肉厚に形成されている。小径部１４ｂの大径部１４ａと反対側の端部は外方へ僅かに張り出された張出部１４ｃとされ、大径部１４ａと張出部１４ｃの間における外面側に浅い嵌合凹部１４ｄが形成されている。
【００２９】
第２の絶縁体１４は第２の導体１３の嵌合部１３ｂに外嵌されている。第２の絶縁体１４は第２の導体１３に外嵌された状態において、大径部１４ａの外周面が電極部１３ａの外周面と放射方向において一致されている。第２の導体１３は電極部１３ａとコード接続部１３ｄが露出されている。
【００３０】
第３の導体１５は略円筒状に形成され、大径の電極部１５ａと小径の嵌合部１５ｂとを有している。第１の導体１５には、電極部１５ａと嵌合部１５ｂとを連結する略円環状に形成された連結部１５ｃが設けられ、嵌合部１５ｂの連結部１５ｃと反対側の端部はコード接続部１５ｄとして設けられている。
【００３１】
第３の導体１５は第２の絶縁体１４に外嵌されている。第３の導体１５は第２の絶縁体１４に外嵌された状態において、嵌合凹部１４ｄに結合され、電極部１５ａの外周面が大径部１４ａの外周面と放射方向において一致され、嵌合部１５ｂの外周面が張出部１４ｃの外周面と放射方向において一致されている。従って、第２の絶縁体１４は大径部１４ａと張出部１４ｃとが露出されている。
【００３２】
第３の絶縁体１６は略円筒状に形成され、軸方向における一端部が外径の大きな大径部１６ａとして設けられ、軸方向において大径部１６ａに連続する部分が小径部１６ｂとして設けられ、軸方向における他端部が小径部１６ｂより外径の大きな張出部１６ｃとして設けられている。大径部１６ａと張出部１６ｃは小径部１６ｂより肉厚に形成されている。第３の絶縁体１６には大径部１６ａと張出部１６ｃの間における外面側に浅い嵌合凹部１６ｄが形成されている。
【００３３】
第３の絶縁体１６は第３の導体１５の嵌合部１５ｂに外嵌されている。第３の絶縁体１６は第３の導体１５に外嵌された状態において、大径部１６ａと張出部１６ｃの外周面が電極部１５ａの外周面と放射方向において一致されている。第３の導体１５は電極部１５ａとコード接続部１５ｄが露出されている。
【００３４】
第４の導体１７は略円筒状に形成され、電極部１７ａと該電極部１７ａの軸方向における中央部の外周面に外方へ突出して設けられた円環状の突部１７ｂとから成る。電極部１７ａの一部はコード接続部１７ｃとして設けられている。
【００３５】
第４の導体１７は第３の絶縁体１６の嵌合凹部１６ｄに外嵌されている。第４の導体１７は第３の絶縁体１６に外嵌された状態において、電極部１７ａの外周面が大径部１６ａの外周面と張出部１６ｃの外周面とに放射方向において一致されている。従って、第３の絶縁体１６は大径部１６ａと張出部１６ｃとが露出されている。
【００３６】
第４の絶縁体１８は導体取付部２０と延設部２１とが一体に形成されて成る（図３及び図５参照）。
【００３７】
導体取付部２０は一方向に長く形成され、図６に示すように、本体部２０ａと該本体部２０ａの長手方向における一端部から短手方向へ互いに反対側へ突出された突出部２０ｂ、２０ｂとから成る。本体部２０ａには、長手方向に延びる導体取付溝２０ｃが形成され、該導体取付溝２０ｃが形成された面と反対側の面に短手方向へ延びる嵌合溝２０ｄが形成されている。延設部２１は導体取付部２０の長手方向における一端面から突出部２０ｂ、２０ｂの突出方向と直交する方向へ突出されている。
【００３８】
第４の絶縁体１８は、導体取付部２０が第３の絶縁体１４の大径部１４ａから張出部１４ｃまでに亘る部分の外周面の一部に取り付けられ、延設部２１が第３の導体１５のコード接続部１５ｄから第１の絶縁体１２の張出部１２ｃまでに亘る部分の外周面の一部に取り付けられている。このように第４の絶縁体１８が取り付けられた状態においては、嵌合溝２０ｄに第４の導体１７の突部１７ｂが嵌合され、導体取付部２０が延設部２１より外周側に位置されている。
【００３９】
第５の導体１９は一方向に長い板状に形成され、長手方向における中間部に互いに反対方向へ突出された規制突片１９ａ、１９ａを有している。第５の導体１９は、規制突片１９ａ、１９ａを基準として一方の側が挿入部１９ｂとされ、他方の側がコード接続部１９ｃとされている。挿入部１９ｂにおけるコード接続部１９ｃと反対側の端部には厚み方向へ突出された接続用突部１９ｄが設けられている。
【００４０】
第５の導体１９は挿入部１９ｂが導体取付溝２０ｃに挿入されて第４の絶縁体１８に取り付けられる（図２参照）。第５の導体１９は第４の絶縁体１８に取り付けられた状態において、規制突片１９ａ、１９ａが本体部２０ａの一端面に接し、コード接続部１９ｃが延設部２１より外周側に離隔して位置されている（図３参照）。
【００４１】
以上のようにして構成されたプラグ５は、図４及び図５に示すように、第１の導体１１のコード接続部１１ｄ、第２の導体１３のコード接続部１３ｄ、第３の導体１５のコード接続部１５ｄ、第４の導体１７のコード接続部１７ｃ及び第５の導体１９のコード接続部１９ｃに、それぞれ接続コード４の５本の接続線４ａ、４ｂ、４ｃ、４ｄ、４ｅの各一端部が、例えば、半田付けにより接続される。接続線４ａ、４ｂ、４ｃ、４ｄ、４ｅの他端部は、第１のスピーカー、第２のスピーカー、第１のマイク、図示しないグランド用端子、第２のマイクに接続されている。
【００４２】
プラグ５の各部に接続線４ａ、４ｂ、４ｃ、４ｄ、４ｅが接続された状態において、第４の導体１７の突部１７ｂから第１の導体１１のコード接続部１１ｄまでに亘る部分がカバー１０によって覆われ、コード接続部１１ｄ、１３ｄ、１５ｄ、１７ｃ、１９ｃが閉塞される（図１参照）。
【００４３】
プラグ５は図示しない外部機器、例えば、音楽再生機器等に設けられたジャック２３に連結される。
【００４４】
ジャック２３は筐体２４に所要の各部が設けられて成る（図７参照）。筐体２４には一方に開口されたプラグ挿入孔２４ａが形成されている。ジャック２３におけるプラグ挿入孔２４ａの開口と反対側の端部からは、５つの端子片２５、２５、・・・が突出されている。端子片２５、２５、・・・は外部機器に設けられた図示しない制御回路に接続されている。
【００４５】
ジャック２３の内部には第１の接続端子２６、第２の接続端子２７、第３の接続端子２８、第４の接続端子２９及び第５の接続端子３０が配置されている（図８及び図９参照）。
【００４６】
第１の接続端子２６は、図８に示すように、ジャック２３の内面に沿って配置されたベース部２６ａと、該ベース部２６ａから折り返されプラグ挿入孔２４ａから遠去かる方向へ延びる基端部２６ｂと、該基端部２６ｂに連続し基端部２６ｂに対してベース部２６ａから離隔する方向へ屈曲された板バネ部２６ｃとを有し、該板バネ部２６ｃの先端部が接続部２６ｄとして設けられている。
【００４７】
第２の接続端子２７は、図９に示すように、ジャック２３の内面と平行な状態で配置された基端部２７ａと、該基端部２７ａに連続し基端部２７ａに対してジャック２３の内面から離隔する方向へ屈曲された板バネ部２７ｂとを有し、該板バネ部２７ｂの先端部が接続部２７ｃとして設けられている。接続部２７ｃは第１の接続端子２６の接続部２６ｄよりプラグ挿入孔２４ａ側に位置されている。
【００４８】
第３の接続端子２８は、図８に示すように、ジャック２３の内面に沿って配置された基端部２８ａと、該基端部２８ａに連続し基端部２８ａに対してジャック２３の内面から離隔する方向へ屈曲された板バネ部２８ｂとを有し、該板バネ部２８ｂの先端部が接続部２８ｃとして設けられている。接続部２８ｃは第２の接続端子２７の接続部２７ｃよりプラグ挿入孔２４ａ側に位置されている。
【００４９】
第４の接続端子２９は、図８及び図９に示すように、ジャック２３の内面に沿って配置された基端部２９ａと、該基端部２９ａに連続し基端部２９ａに対してジャック２３の内面から離隔する方向へ屈曲された板バネ部２９ｂとを有し、該板バネ部２９ｂの先端部が接続部２９ｃとして設けられている。接続部２９ｃは第３の接続端子２８の接続部２８ｃよりプラグ挿入孔２４ａ側に位置され、該プラグ挿入孔２４ａの開口の直ぐ内側に位置されている。
【００５０】
第５の接続端子３０は、図９に示すように、ジャック２３の内面に沿って配置された基端部３０ａと、該基端部３０ａに連続し基端部３０ａに対してジャック２３の内面から離隔する方向へ屈曲された板バネ部３０ｂとを有し、該板バネ部３０ｂの先端部が接続部３０ｃとして設けられている。接続部３０ｃはプラグ挿入孔２４ａの開口の直ぐ内側に位置されている。
【００５１】
ジャック２３の内部にはストッパー壁３１が設けられている（図９参照）。ストッパー壁３１は第５の接続端子３０の板バネ部３０ｂを挟んでジャック２３の内面と反対側に位置されている。
【００５２】
ジャック２３の内部には保持用絶縁部材３２が設けられている（図８及び図９参照）。保持用絶縁部材３２はプラグ挿入孔２４ａの開口と反対側の端部に設けられている。
【００５３】
第１の接続端子２６、第２の接続端子２７、第３の接続端子２８、第４の接続端子２９及び第５の接続端子３０は、それぞれ一部が保持用絶縁部材３２に埋設されて保持され、端子片２５、２５、・・・に各別に連続されている。従って、第１の接続端子２６、第２の接続端子２７、第３の接続端子２８、第４の接続端子２９及び第５の接続端子３０は、それぞれ端子片２５、２５、・・・を介して外部機器に設けられた制御回路に接続されている。
【００５４】
プラグ５がプラグ挿入孔２４ａに挿入されると、図１０及び図１１に示すように、第１の導体１１の電極部１１ａ、第２の導体１３の電極部１３ａ、第３の導体１５の電極部１５ａ、第４の導体１７の電極部１７ａ及び第５の導体１９の接続用突部１９ａが、それぞれ第１のスピーカー用の第１の接続端子２６の接続部２６ｄ、第２のスピーカー用の第２の接続端子２７の接続部２７ｃ、第１のマイク用の第３の接続端子２８の接続部２８ｃ、グランド用の第４の接続端子２９の接続部２９ｃ及び第２のマイク用の第５の接続端子３０の接続部３０ｃに接続される。
【００５５】
このときプラグ５は第４の導体１７の突部１７ｂがジャック２３におけるプラグ挿入孔２４ａの外側開口縁に接触すると共に第５の導体１９の挿入部１９ｂの一端面がストッパー壁３１に接触する位置まで挿入され、ジャック２３に対する挿入方向における位置決めが行われる。
【００５６】
接続部２６ｄ、２７ｃ、２８ｃ、２９ｃ、３０ｃはそれぞれ基端部２６ｂ、２７ａ、２８ａ、２９ａ、３０ａに対してバネ力に抗して弾性変形され、電極部１１ａ、電極部１３ａ、電極部１５ａ、電極部１７ａ、接続用突部１９ａに押し付けられた状態で接続される。
【００５７】
ジャック２３には、例えば、３極構成のプラグも連結可能である。
【００５８】
３極構成のプラグ５０は、図１２乃至図１４に示すように、第１の導体５１、該第１の導体５１に外嵌された第１の絶縁体５２、該第１の絶縁体５２に外嵌された第２の導体５３、該第２の導体５３に外嵌された第２の絶縁体５４及び該第２の絶縁体５４に外嵌された第３の導体５５によって構成され、ジャック２３に連結された状態において、第１の導体５１が第１のスピーカー用の第１の接続端子２６に接続され、第２の導体５３が第２のスピーカー用の第２の接続端子２７に接続され、第３の導体５５がグランド用の第４の接続端子２９に接続される。プラグ５０は第２のマイク用の第５の接続端子３０とは接続されない。
【００５９】
プラグ５０は第３の導体５５が第１のマイク用の第３の接続端子２８とも接続されるが、外部機器にあっては、第３の導体５５と第３の接続端子２８との間での信号の授受が行われないように制御回路が構成されている。尚、例えば、ジャック２３の第３の接続端子２８の配置位置を変更すること等により、プラグ５０がジャック２３に連結された状態において、第３の導体５５が第３の接続端子２８に接続されないように構成するようにしてもよい。
【００６０】
以上に記載した通り、プラグ５にあっては、略丸軸状にされた４極構成の部分の外周面に１極の部分を取り付けることにより５極構成を形成しているため、５極構成のプラグ５を容易に形成することができる。
【００６１】
また、プラグ５にあっては、第５の導体１９を板状に形成し、厚み方向における一方の面を第４の絶縁体１８に取り付けるようにしているため、全体の外径を小さくすることが可能となり、小型化を図ることができる。
【００６２】
さらに、第５の導体１９に電極部として機能する接続用突部１９ｄを設けているため、ジャック２３の第５の接続端子３０との良好な接続性を確保することができる。
【００６３】
加えて、プラグ５にあっては、略丸軸状に形成された４極構成の部分に第４の絶縁体１８と第５の導体１９を取り付けているため、第４の絶縁体１８と第５の導体１９が略丸軸状の部分から側方へ突出された形状とされ、例えば、プラグ挿入孔が円形状に形成されている３極構成のプラグ専用のジャックに対する誤挿入を防止することができる。
【００６４】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６５】
【図１】図２乃至図１４と共に本発明の最良の形態を示すものであり、本図は、プラグの拡大斜視図である。
【図２】プラグの拡大側面図である。
【図３】図２とは異なる方向から見た状態で示すプラグの拡大側面図である。
【図４】プラグの拡大断面図である。
【図５】図４とは異なる方向から見た状態で示すプラグの拡大断面図である。
【図６】第４の絶縁体と第５の導体を示す拡大斜視図である。
【図７】ジャックの拡大斜視図である。
【図８】図７のＸＩＩＩ―ＸＩＩＩ線に沿う断面図である。
【図９】図７のＩＸ―ＩＸ線に沿う断面図である。
【図１０】プラグがジャックに連結された状態を示す拡大断面図である。
【図１１】図１０とは異なる方向から見た状態でプラグがジャックに連結された状態を示す拡大断面図である。
【図１２】３極構成のプラグを示す拡大側面図である。
【図１３】３極構成のプラグがジャックに連結された状態を示す拡大断面図である。
【図１４】図１３とは異なる方向から見た状態で３極構成のプラグがジャックに連結された状態を示す拡大断面図である。
【符号の説明】
【００６６】
５…プラグ、１１…第１の導体、１１ａ…電極部、１１ｂ…嵌合部、１２…第１の絶縁体、１３…第２の導体、１３ａ…電極部、１３ｂ…嵌合部、１４…第２の絶縁体、１５…第３の導体、１５ａ…電極部、１５ｂ…嵌合部、１６…第３の絶縁体、１７…第４の導体、１７ａ…電極部、１８…第４の絶縁体、１９…第５の導体、１９ｄ…接続用突部（電極部）
【図１】
2008066175.tif 000003
【図２】
2008066175.tif 000004
【図３】
2008066175.tif 000005
【図４】
2008066175.tif 000006
【図５】
2008066175.tif 000007
【図６】
2008066175.tif 000008
【図７】
2008066175.tif 000009
【図８】
2008066175.tif 000010
【図９】
2008066175.tif 000011
【図１０】
2008066175.tif 000012
【図１１】
2008066175.tif 000013
【図１２】
2008066175.tif 000014
【図１３】
2008066175.tif 000015
【図１４】
2008066175.tif 000016